(57)【要約】【課題】長時間に亘って電力供給が遮断される場合でも、電力供給の再開後における内蔵時計の時刻の再設定が不要な映像記録再生装置を提供する。  【解決手段】このＨＤＤ内蔵ＤＶＤレコーダ１では、電源プラグ１１を引越し先のコンセントに差し込む電源プラグ挿入予定時刻および挿入誤差を記憶しておき、電源プラグ１１がコンセントに差し込まれたとき、記憶した電源プラグ挿入予定時刻に内蔵時計５の現在時刻を設定し、時報信号に基づいて内蔵時計５の時刻のずれを修正する。したがって、引越しにより長時間に亘って電力供給が遮断される場合でも、引越し先で内蔵時計５の時刻を再設定する必要がない。【選択図】図１
2007114054.tif 000002
【特許請求の範囲】
【請求項１】
内蔵時計の時刻に従ってテレビ番組を録画する映像記録再生装置であって、
前記映像記録再生装置の電源プラグを引越し先のコンセントに差し込む予定時刻およびその誤差を設定するための引越しモード設定手段と、
前記引越しモード設定手段によって設定された予定時刻およびその誤差を記憶する記憶手段と、
前記電源プラグが前記コンセントに差し込まれたことに応じて、前記記憶手段に記憶された前記予定時刻に前記内蔵時計の現在時刻を設定する現在時刻設定手段と、
基準時刻に送信される時報信号を検出する検出手段と、
前記予定時刻の前記誤差分だけ前の監視開始時刻から前記予定時刻の前記誤差分だけ後の監視終了時刻までの間に前記検出手段によって前記時報信号が検出されたことに応じて、前記内蔵時計の現在時刻を前記基準時刻に修正する時刻合わせ制御手段とを備えたことを特徴とする、映像記録再生装置。
【請求項２】
内蔵時計の時刻に従って動作する電気機器であって、
前記電気機器への電力供給が遮断された後に再開される予定時刻を設定するための停電モード設定手段と、
前記停電モード設定手段によって設定された予定時刻を記憶する記憶手段と、
前記電気機器への電力供給が再開されたことに応じて、前記記憶手段に記憶された前記予定時刻に前記内蔵時計の現在時刻を設定する現在時刻設定手段と、
基準時刻に送信される時報信号を検出する検出手段と、
前記検出手段によって前記時報信号が検出されたことに応じて、前記内蔵時計の現在時刻を前記基準時刻に修正する時刻合わせ制御手段とを備えたことを特徴とする、電気機器。  
【請求項３】
前記停電モード設定手段は前記予定時刻の誤差も設定し、
前記時刻合わせ制御手段は、前記予定時刻の前記誤差分だけ前の監視開始時刻から前記予定時刻の前記誤差分だけ後の監視終了時刻までの間に前記時報信号が検出されたことに応じて、前記内蔵時計の現在時刻を前記基準時刻に修正することを特徴とする、請求項２に記載の電気機器。
【請求項４】
前記電気機器の電源プラグがコンセントから引き抜かれることによって前記電気機器への電力供給が停止され、前記電気機器の電源プラグが引越し先のコンセントに差し込まれることによって前記電気機器への電力供給が再開されることを特徴とする、請求項２または請求項３に記載の電気機器。
【請求項５】
前記電気機器は、前記内蔵時計の時刻に従ってテレビ番組を録画する映像記録再生装置であって、テレビ番組の録画を予約するための予約手段を備え、
前記停電モード設定手段は引越し先の地域も設定し、
前記記憶手段は前記予約手段によって予約されたテレビ番組を特定する情報と前記停電モード設定手段によって設定された引越し先の地域も記憶し、
さらに、引越し前の地域の番組情報と引越し後の地域の番組情報とに基づいて、前記記憶手段に記憶された前記テレビ番組を特定する情報を必要に応じて変換する変換手段と、
前記記憶手段に記憶された情報によって特定されるテレビ番組を前記内蔵時計の時刻に従って録画する録画手段とを備えたことを特徴とする、請求項４に記載の電気機器。
【発明の詳細な説明】
【技術分野】
【０００１】
この発明は映像記録再生装置および電気機器に関し、特に、内蔵時計の時刻に従って動作する映像記録再生装置および電気機器に関する。
【背景技術】
【０００２】
従来より、ＨＤＤ（Hard Disk Drive)内蔵ＤＶＤ(Digital Versatile Disk)レコーダ、ＶＴＲ（Video Tape Recorder)などの映像記録再生装置、テレビ、オーディオ製品などの電気機器には時計が内蔵されており、これらの電気機器は内蔵時計の時刻に従って動作する。たとえば映像記録再生装置は、ユーザによってテレビ番組のチャンネルおよび時刻がセットされると、内蔵時計の時刻に従ってそのテレビ番組を自動的に録画する。したがって、内蔵時計の時刻は正確であることが必要とされる。
【０００３】
そこで、内蔵時計の時刻を正確に維持するため、内蔵時計の時刻のずれを時報信号に基づいて修正する方法が提案された（たとえば特許文献１参照）。時報信号は、公共放送によって午前７時００分００秒、正午（１２時００分００秒）、午後７時００分００秒の各々で送信される。この方法では、基準時刻（午前７時００分００秒、１２時００分００秒）、午後７時００分００秒）の前後の所定期間（±３０分未満の期間）において時報信号を監視し、時報信号を検出した場合は内蔵時計の時刻を基準時刻に修正する。
【特許文献１】特開平１１−８４０３２号公報
【発明の開示】
【発明が解決しようとする課題】
【０００４】
しかし、従来の時刻修正方法では、引越し、工事などの理由で長時間に亘って電源プラグがコンセントから抜かれたり停電し、内蔵時計の時刻が大幅にずれた場合は自動修正できず、ユーザが時刻を再設定しなければならないという問題があった。
【０００５】
それゆえに、この発明の主たる目的は、長時間に亘って電力供給が遮断される場合でも、電力供給の再開後における内蔵時計の時刻の再設定が不要な映像記録再生装置および電気機器を提供することである。
【課題を解決するための手段】
【０００６】
この発明に係る映像記録再生装置は、内蔵時計の時刻に従ってテレビ番組を録画する映像記録再生装置であって、映像記録再生装置の電源プラグを引越し先のコンセントに差し込む予定時刻およびその誤差を設定するための引越しモード設定手段と、引越しモード設定手段によって設定された予定時刻およびその誤差を記憶する記憶手段と、電源プラグがコンセントに差し込まれたことに応じて、記憶手段に記憶された予定時刻に内蔵時計の現在時刻を設定する現在時刻設定手段と、基準時刻に送信される時報信号を検出する検出手段と、予定時刻の誤差分だけ前の監視開始時刻から予定時刻の誤差分だけ後の監視終了時刻までの間に検出手段によって時報信号が検出されたことに応じて、内蔵時計の現在時刻を基準時刻に修正する時刻合わせ制御手段とを備えたことを特徴とする。
【０００７】
また、この発明に係る電気機器は、内蔵時計の時刻に従って動作する電気機器であって、電気機器への電力供給が遮断された後に再開される予定時刻を設定するための停電モード設定手段と、停電モード設定手段によって設定された予定時刻を記憶する記憶手段と、電気機器への電力供給が再開されたことに応じて、記憶手段に記憶された予定時刻に内蔵時計の現在時刻を設定する現在時刻設定手段と、基準時刻に送信される時報信号を検出する検出手段と、検出手段によって時報信号が検出されたことに応じて、内蔵時計の現在時刻を基準時刻に修正する時刻合わせ制御手段とを備えたことを特徴とする。
【０００８】
好ましくは、停電モード設定手段は予定時刻の誤差も設定し、時刻合わせ制御手段は、予定時刻の誤差分だけ前の監視開始時刻から予定時刻の誤差分だけ後の監視終了時刻までの間に時報信号が検出されたことに応じて、内蔵時計の現在時刻を基準時刻に修正する。
【０００９】
また好ましくは、電気機器の電源プラグがコンセントから引き抜かれることによって電気機器への電力供給が停止され、電気機器の電源プラグが引越し先のコンセントに差し込まれることによって電気機器への電力供給が再開される。
【００１０】
また好ましくは、電気機器は、内蔵時計の時刻に従ってテレビ番組を録画する映像記録再生装置であって、テレビ番組の録画を予約するための予約手段を備え、停電モード設定手段は引越し先の地域も設定し、記憶手段は予約手段によって予約されたテレビ番組を特定する情報と停電モード設定手段によって設定された引越し先の地域も記憶する。この電気機器は、さらに、引越し前の地域の番組情報と引越し後の地域の番組情報とに基づいて、記憶手段に記憶されたテレビ番組を特定する情報を必要に応じて変換する変換手段と、記憶手段に記憶された情報によって特定されるテレビ番組を内蔵時計の時刻に従って録画する録画手段とを備える。
【発明の効果】
【００１１】
この発明に係る映像記録再生装置では、電源プラグを引越し先のコンセントに差し込む予定時刻およびその誤差を記憶しておき、電源プラグがコンセントに差し込まれたとき、記憶した予定時刻に内蔵時計の現在時刻を設定し、時報信号に基づいて内蔵時計の時刻のずれを修正する。したがって、引越しにより長時間に亘って電力供給が遮断される場合でも、引越し先で内蔵時計の時刻を再設定する必要がない。
【００１２】
また、この発明に係る電気機器では、電力供給が遮断された後に再開される予定時刻を設定を記憶しておき、電力供給が再開されたとき、記憶した予定時刻に時計の現在時刻を設定し、時報信号に基づいて内蔵時計の時刻のずれを修正する。したがって、引越し、工事などにより長時間に亘って電力供給が遮断される場合でも、電力供給の再開時に内蔵時計の時刻を再設定する必要がない。
【発明を実施するための最良の形態】
【００１３】
図１は、この発明の一実施の形態によるＨＤＤ内蔵ＤＶＤレコーダ１の構成を示すブロック図である。図１において、このＨＤＤ内蔵ＤＶＤレコーダ１は、チューナ２、ＨＤＤ装置３、ＤＶＤ駆動装置４、時計５、バックアップ電源６、表示部７、受光部８、操作部９、電源回路１０、電源プラグ１１および制御部１２を備え、リモコン１３による操作が可能となっている。
【００１４】
チューナ２は、アンテナ１４を介してテレビ放送の電波を受信し、レコーダ１のユーザである視聴者によって選択されたチャンネルのテレビ番組の映像信号や、時報信号や、受信地域の電子番組表を示す情報信号などを受信電波から抽出し、抽出した映像信号、時報信号、情報信号などを制御部１２に与える。ＨＤＤ装置３は、ハードディスクを含み、録画時には制御部１２から与えられた映像信号、情報信号などをハードディスクに記録し、再生時にはハードディスクに記録した信号を読み出して制御部１２に与える。また、ＨＤＤ装置３は、録画予約情報などの種々の情報の記憶手段としても使用される。ＤＶＤ駆動装置４は、録画時にはセットされたＤＶＤに制御部１２から与えられた映像信号などを書込み、再生時にはＤＶＤの記録信号を読み出して制御部１２に与える。
【００１５】
時計５は、月、曜日、日、時、分、秒を示す時刻データを発生して制御部１２に与える。時計５は、ユーザによって設定された時刻あるいは制御部１２によって設定された基準時刻に１秒毎に１秒を加算して行くことによって時刻データを発生する。時計５は、電源回路１０によって直流電源電圧が生成されている場合は直流電源電圧によって駆動され、電源プラグ１１がコンセントから抜かれたり、停電している場合はバックアップ電源６の出力電圧で駆動され、バックアップ電源６の出力電圧が所定電圧よりも低下したときは停止する。バックアップ電源６は、電源回路１０からの直流電源電圧で充電されるコンデンサあるいは充電電池を含み、電源回路１０からの直流電源電圧の供給が停止した場合でも所定時間は時計５を駆動させることができる。これにより、短時間の停電や電源プラグ１１の引き抜きがあった場合でも、時計５の時刻データは保持される。
【００１６】
表示部７は、レコーダ１本体の前面に設けられた表示画面を含み、視聴者によって選択されたチャンネル番号、時刻などの種々の情報を表示する。リモコン１３は、種々のボタン、キーを含み、視聴者によって操作されたボタン、キーなどに応じた光信号を出射する。受光部８は、リモコン１３から出射された光信号を光電変換して制御信号を生成し、その制御信号を制御部１２に与える。操作部９は、種々のキー、ボタンを含み、視聴者によって操作されたボタン、キーなどに応じた制御信号を生成し、その制御信号を制御部１２に与える。視聴者は、リモコン１３あるいは操作部９を操作して、チャンネルの選択、録画、予約録画、再生、引越しモードの設定などを行なうことができる。電源回路１０は、電源プラグ１１がコンセントに差し込まれると、コンセントから電源プラグ１１を介して与えられる商用交流電圧を変圧、整流、平滑化して直流電源電圧を生成し、その直流電源電圧をレコーダ１全体に供給する。
【００１７】
制御部１２は、リモコン１３から受光部８を介して与えられる制御信号や操作部９から与えられる制御信号に従って、レコーダ１全体を制御する。具体的には、制御部１２は、チューナ２から与えられた映像信号をＴＶモニタ１５に与えてテレビ番組を表示させる。また、制御部１２は、録画予約時には、チューナ２から与えられた情報信号をＴＶモニタ１５に与えて電子番組表を表示させ、リモコン１３または操作部９を用いて予約されたテレビ番組を示す情報をＨＤＤ装置３に記録する。また、制御部１２は、録画時には、チューナ２から与えられた映像信号をＨＤＤ装置３に与え、ハードディスクに記録させる。
【００１８】
また、制御部１２は、再生時には、視聴者によって選択されたテレビ番組、映画などの映像信号をＨＤＤ装置３またはＤＶＤ駆動装置４から読み出し、その映像信号をＴＶモニタ１５に与えてテレビ番組、映画などを表示させる。また、制御部１２は、ＨＤＤ装置３に記録された信号のうちの視聴者によって選択された信号をＤＶＤ駆動装置４に与えてＤＶＤに記録させる。また、制御部１２は、ＤＶＤに記録された信号のうちの視聴者によって選択された信号をＨＤＤ装置３に与えてハードディスクに記録させる。
【００１９】
また、制御部１２は、このＨＤＤ内蔵ＤＶＤレコーダ１の特徴となる引越しモードを実行する。ユーザは、引越し前に、操作部９またはリモコン１３を用いて引越しモードを設定する。引越しモードが設定されると制御部１２は、表示部７の表示画面７ａおよびＴＶモニタ１５に、図２に示すような画像を表示する。
【００２０】
ユーザは、この画像に従って、引越し先地域（○○）、引越し先において電源プラグ１１をコンセントに差し込む電源プラグ挿入予定時刻（○年○月○日○時○分）、投入誤差（±○分）を設定する。制御部１２は、これらの設定データをＨＤＤ装置３（または図示しない不揮発性メモリ）に記録する。投入誤差は、±３０分未満の範囲で設定可能になっている。ユーザは、操作部９の電源スイッチまたはリモコン１３の電源スイッチをオフした後、電源プラグ１１をコンセントから引き抜き、引越しを行なう。
【００２１】
引越し後、ユーザは、引越しモードで設定した投入誤差の範囲内での時刻において引越し先のコンセントにレコーダ１の電源プラグ１１を差し込む。制御部１２は、電源回路１０から直流電源電圧が与えられたことに基いて、電源プラグ１１がコンセントに差し込まれたことを検出し、図３のフローチャートに従って復帰動作を行なう。
【００２２】
まず制御部１２は、ステップＳ１において引越しモードが設定されているか否かを判別し、引越しモードが設定されていない場合は復帰動作を終了し、引越しモードが設定されている場合はステップＳ２において、バックアップ電源６の出力電圧が所定電圧よりも低下していたか否か（バックアップが切れていたか否か）を判別する。
【００２３】
バックアップが切れていないと判別した場合はステップＳ６に進み、バックアップが切れていたと判別した場合はステップＳ３において図２で示した電源プラグ挿入予定時刻（たとえば１５時００分）に時計５の現在時刻を設定する。このときの実際の時刻がおよそ１５時１５分であったとすると、時計５の時刻は実際の時刻よりも１５分間程度遅れていることになる。
【００２４】
ステップＳ４において制御部１２は、自動時刻調整のための時報監視範囲を、図２で示した投入誤差に設定する。時報監視範囲は、時報が鳴る基準時刻の投入誤差分だけ前の時刻から、基準時刻の投入誤差誤差分だけ後の時刻までの範囲に設定される。このように時報監視範囲を定めるのは、誤動作を防止し、簡単な方法で自動時刻調整を行なうためである。
【００２５】
上述の通り時報音は、時報信号は、公共放送によって午前７時００分００秒、正午（１２時００分００秒）、午後７時００分００秒の各々で送信される。時報音信号は、「プップップッ  ポーン」という音声信号を含む。「プップップッ」の部分が４４０Ｈｚであり、「ポーン」の部分が８８０Ｈｚであり、「ポーン」の部分で丁度午前７時００分００秒、１２時００分００秒、または午後７時００分００秒となる。制御部１２は、４４０Ｈｚの信号を通過させる第１のバンドパスフィルタと、８８０Ｈｚの信号を通過させる第２のバンドパスフィルタとを含み、第１および第２のバンドパスフィルタの通過信号に基づいて時報音信号を検出する。そこで、通常の音信号を音声信号と誤って判別する可能性があるので、時報監視範囲を定めることにより誤判定の発生確率を下げている。通常時は図４に示すように、時報が鳴る時刻の±５分を時報監視範囲としている。
【００２６】
また、時計５の時刻を簡単なルールで修正するため、時報監視範囲は±３０分未満に限定される。たとえば、時計５の時刻が実際の時刻よりも１５分間程度進んでいる場合は、時報音を検出したときに時計５の分、秒をそれぞれ０にして基準時刻に合わせる。また、時計５の時刻が実際の時刻よりも１５分間程度遅れている場合は、時報音を検出したときに時計５の時に＋１するとともに、分、秒をそれぞれ０にして基準時刻に合わせる。引越しモードの場合は、図４に示すように時報監視範囲を±３０分の範囲内で通常の±５分よりも広げることが可能となっている。
【００２７】
次に、ステップＳ５において制御部１２は、時報監視範囲で時報信号を検出して時計５の時刻を基準時刻に設定する。上述の例では、引越し先における実際の電源プラグ１１の挿入が電源プラグ挿入予定時刻（たとえば１５時００分）よりも約１５分間遅れたために、時計５の時刻は実際の時刻よりも１５分間程度遅れている。設定された投入誤差を±２５分とすると、午後７時００分００秒の時報における時報監視範囲は午後６時３５分から午後７時２５分までとなる。この時報監視範囲は時計５によって計測される。時計５の時刻では、時報監視範囲は午後６時５５分から午後７時４５分までとなる。制御部１２は、午後７時００分００秒に時報音信号を検出し、時計５の時刻を午後７時００分に設定する。
【００２８】
次いでステップＳ６において制御部１２は、チューナ２を介して取得した引越し先地域の電子番組表と、ＨＤＤ装置３に記録されている引越し前の地域の電子番組表に基き、ＨＤＤ装置３に記録された録画予約表に予約されているチャンネルを必要に応じて変換する。テレビ番組によっては、引越しの前後で異なるチャンネルで放送される場合があるからである。この後ステップＳ７において制御部１２は、引越しモードを解除し、復帰動作を終了する。
【００２９】
この実施の形態では、電源プラグ１１を引越し先のコンセントに差し込む電源プラグ挿入予定時刻および挿入誤差を記憶しておき、電源プラグ１１がコンセントに差し込まれたとき、記憶した電源プラグ挿入予定時刻に内蔵時計５の現在時刻を設定し、時報信号に基づいて内蔵時計５の時刻のずれを修正する。したがって、引越しにより長時間に亘って電力供給が遮断される場合でも、引越し先で内蔵時計５の時刻を再設定する必要がない。
【００３０】
また、引越しモード時における時報監視範囲を通常時よりも広く設定できるので、引越し先で電源プラグ１１をコンセントに挿入する時刻に余裕を持たせることができる。
【００３１】
また、引越し前後の電子番組表に基いて録画予約表を自動的に修正するので、ユーザが引越し先で録画予約表を修正する手間を省くことができる。
【００３２】
なお、引越しモードは、引越しに限らず、停電、工事などにより電力供給が遮断される時刻と電力供給が再開される時刻が分かっている場合でも、使用可能である。この場合は、電力供給が再開される時刻を電源プラグ挿入予定時刻として設定すればよい。
【００３３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００３４】
【図１】この発明の一実施の形態によるＨＤＤ内蔵ＤＶＤレコーダの構成を示すブロック図である。
【図２】図１に示したＨＤＤ内蔵ＤＶＤレコーダの引越しモードの設定方法を説明するための図である。
【図３】図１に示した制御部の引越しモードにおける動作を示すフローチャートである。
【図４】図３に示した時報監視範囲を説明するための図である。
【符号の説明】
【００３５】
１  ＨＤＤ内蔵ＤＶＤレコーダ、２  チューナ、３  ＨＤＤ装置、４  ＤＶＤ駆動装置、５  時計、６  バックアップ電源、７  表示部、７ａ  表示画面、８  受光部、９  操作部、１０  電源回路、１１  電源プラグ、１２  制御部、１３  リモコン、１４  アンテナ、１５  ＴＶモニタ。
【図１】
2007114054.tif 000003
【図２】
2007114054.tif 000004
【図３】
2007114054.tif 000005
【図４】
2007114054.tif 000006